(57)【要約】【課題】ベンチの取付け、取外しを容易に行うことができるようにした収納型ベンチを提供することである。【解決手段】収納枠１の側面パネル４の内面下部に軸挿入孔７を設け、ベンチ２の両側に設けられた突軸９を上記軸挿入孔７に挿入してベンチ２を起伏自在に支持する。軸挿入孔７を下部が閉塞する縦孔７ａとその上部に連なって側面パネル４の前面で開口する横孔７ｂとで形成して、軸挿入孔７から突軸９を抜き差し可能とし、ベンチ２の取付け、取外しの容易化を図る。【選択図】  図５
2004248988.tif 000002
【特許請求の範囲】
【請求項１】
収納枠と、その収納枠の開口部内にほぼぴったりと嵌り合う大きさのベンチとから成り、前記収納枠の両側の側面パネルにおける内面下部に軸挿入孔を設け、前記ベンチの両側には前記軸挿入孔に挿入される突軸を設けてベンチを起伏自在に支持し、前記収納枠とベンチの相互間に、収納枠の開口部内にベンチが嵌り込む起立状態でベンチを仮止めする仮止め機構と、ベンチを伏倒させたほぼ水平の状態で保持するストッパ機構とを設けた収納型ベンチにおいて、前記軸挿入孔を下端が閉塞されて上下方向に延びる縦孔と、その縦孔の上部に連なって側面パネルの前面で開口する横孔とで形成して前記突軸を抜き差し自在としたことを特徴とする収納型ベンチ。
【請求項２】
前記縦孔の上部に突軸の外径より幅寸法の小さな狭小部を設けた請求項１に記載の収納型ベンチ。
【発明の詳細な説明】
【０００１】
【発明の属する技術分野】
この発明は、玄関に設置される収納型ベンチに関するものである。
【０００２】
【従来の技術】
この種、従来の収納型ベンチとして、玄関の壁内に埋設され、あるいは壁面に沿って取付けられる収納枠に、その収納枠の前側開口部にほぼぴったりと嵌り合う大きさのベンチを起伏自在に支持し、前記ベンチを伏倒させ、そのベンチに腰をかけて履き物の着脱を行い、不使用時にはベンチを起立させて収納枠内に収めるようにしたものが知られている。
【０００３】
【発明が解決しようとする課題】
ところで、従来の収納型ベンチにおいては、収納枠にベンチを予め取付けた組立て状態で出荷して設置作業を行い、あるいは、設置時にベンチを取付けるようにしているが、ベンチの組付けに際し、そのベンチを起伏自在に支持する雌雄の金具を結合させた状態で、その一方の金具を収納枠に、他方の金具をベンチにビス止めする構成であるため、ベンチの組付けに非常に手間がかかっていた。
【０００４】
また、破損したベンチを修理しようとしてベンチを取外しする際にもビスを弛めて金具を取外しする必要があり、ベンチの取外しにも手間がかかっていた。
【０００５】
この発明の課題は、ベンチの取付け、取外しを容易に行うことができるようにした収納型ベンチを提供することである。
【０００６】
【課題を解決するための手段】
上記の課題を解決するために、この発明においては、収納枠と、その収納枠の開口部内にほぼぴったりと嵌り合う大きさのベンチとから成り、前記収納枠の両側の側面パネルにおける内面下部に軸挿入孔を設け、前記ベンチの両側には前記軸挿入孔に挿入される突軸を設けてベンチを起伏自在に支持し、前記収納枠とベンチの相互間に、収納枠の開口部内にベンチが嵌り込む起立状態でベンチを仮止めする仮止め機構と、ベンチを伏倒させたほぼ水平の状態で保持するストッパ機構とを設けた収納型ベンチにおいて、前記軸挿入孔を下端が閉塞されて上下方向に延びる縦孔と、その縦孔の上部に連なって側面パネルの前面で開口する横孔とで形成して前記突軸を抜き差し自在とした構成を採用したのである。
【０００７】
上記のように構成すれば、軸挿入孔の横孔に突軸を挿入し、その突軸を縦孔に挿入することによってベンチの取付けを行うことができると共に、上記と逆に、突軸を縦孔の上方に移動させて横孔から引き抜くことによってベンチの取外しを行うことができ、ベンチの取付けおよび取外しを容易に行うことができる。
【０００８】
ここで、縦孔の上部に突軸の外径より幅寸法が小さい狭小部を設けることによって、軸挿入孔から突軸が簡単に外れるのを防止することができる。
【０００９】
【発明の実施の形態】
以下、この発明の実施の形態を図面に基づいて説明する。図１乃至図３に示すように、収納型ベンチは、角形の収納枠１と、角形のベンチ２とを有し、ベンチ２は収納枠１の前側開口部にほぼぴったりと嵌り合う大きさとされている。
【００１０】
収納枠１は壁内に埋設する取付けであってもよく、あるいは壁面Ａに接触させる取付けであってもよい。この収納枠１の内部には複数の棚３が設けられている。また、収納枠１の両側の側面パネル４の内面下部には板体から成る受け金具５がねじの締付けによって取付けられている。
【００１１】
図４に示すように、受け金具５は、前側中央部に片面側に膨出する膨出部６を有し、その膨出部６に軸挿入孔７が設けられている。軸挿入孔７は下端が閉塞して上下方向に延びる縦孔７ａと、その縦孔７ａの上部に連なって受け金具５の前縁で開口する横孔７ｂとから成り、前記縦孔７ａの上部に狭小部７ｃが設けられている。
【００１２】
なお、受け金具５を省略し、側面パネル４に軸挿入孔７を直接形成してもよい。
【００１３】
図２に示すように、ベンチ２の両側面には前記受け金具５に対応してプレート８がビスの締付けによって固定され、そのプレート８に前記受け金具５の軸挿入孔７に支持される突軸９が設けられている。
【００１４】
突軸９は軸挿入孔７に沿って移動可能とされ、その外径は軸挿入孔７の縦孔７ａに設けられた前記狭小部７ｃの幅寸法より少し大きくなっている。
【００１５】
突軸９が軸挿入孔７の縦孔７ａの閉塞端で支持される状態において、ベンチ２は突軸９を中心にして起伏自在とされる。
【００１６】
収納枠１とベンチ２の相互間には、ベンチ２が収納枠１の前側開口部内に納まる起立状態でベンチ２を仮止めする仮止め機構１０と、ベンチ２を伏倒させたほぼ水平の状態で保持するストッパ機構１１とが設けられている。
【００１７】
仮止め機構１０は、収納枠１の側面パネル４の内面にピン１２を突設し、ベンチ２の両側部にはキャッチャ１３を取付け、そのキャッチャ１３に設けられた一対の弾性片１３ａによってピン１２を弾力的に挟持するようにしている。
【００１８】
図５に示すように、ストッパ機構１１は、収納枠１の裏面パネル１４の内面と受け金具５の内面とに突出部１５、１６を設け、その突出部１５、１６にほぼ水平の状態とされたベンチ２の後端部を当接させてベンチ２を伏倒状態に保持するようにしている。
【００１９】
図３において、１７はベンチ２に形成された指先係合孔を示す。
【００２０】
実施の形態で示す収納型ベンチは上記の構造から成り、ベンチ２を伏倒させると、図５に示すように、そのベンチ２の後端部が突出部１５、１６に当接して、ベンチ２はほぼ水平の状態に保持され、そのベンチ２に腰をかける状態で履き物の着脱を行うことができる。
【００２１】
また、ベンチ２を起立すると、図１に示すように、収納枠１内に収納され、仮止め機構１０の作動によって起立状態に保持され、玄関に出入りを容易とする大きなスペースを確保することができる。
【００２２】
収納型ベンチの組立てに際しては、ベンチ２の端部が突出部１５、１６の下側に配置されるようベンチ２を傾斜状に保持し、そのベンチ２に設けられた突軸９を受け金具５に設けられた軸挿入孔７の横孔７ｂに挿入し、その横孔７ｂからこれに連なる縦孔７ａに沿って移動させて、縦孔７ａの閉塞端で突軸９を支持する。
【００２３】
突軸９が縦孔７ａの狭小部７ｃを移動するとき、その狭小部７ｃの前側壁部は前方に向けて弾性変形し、上記狭小部７ｃを通過すると、前側壁部は復元弾性によって元の自然な状態に戻り、狭小部７ｃによって突軸９は上方に移動するのが防止される。
【００２４】
ベンチ２の取外しに際しては、図５の鎖線イで示すように、ベンチ２を傾斜状態に保持したのち、突軸９を縦孔７ａに沿って上向きに移動させ、縦孔７ａの上端に突軸９が当接する状態でベンチ２を手前に引き、突軸９を横孔７ｂから引き抜くようにする。
【００２５】
【発明の効果】
以上のように、この発明においては、側面パネルに設けられた軸挿入孔を縦孔と、その縦孔の上端に連なって側面パネルの前面で開口する横孔とで形成したので、ベンチの側面に設けられた突軸を軸挿入孔から抜差し自在とすることができ、ベンチの取付け、取外しをきわめて簡単に行うことができる。
【図面の簡単な説明】
【図１】この発明に係る収納型ベンチの実施の形態を示す縦断側面図
【図２】図１の収納型ベンチの下部を拡大して示す一部切欠正面図
【図３】収納枠とベンチを示す分解斜視図
【図４】受け金具とプレートとを示す分解斜視図
【図５】ベンチの伏倒状態を示す縦断側面図
【符号の説明】
１  収納枠
２  ベンチ
７  軸挿入孔
７ａ  縦孔
７ｂ  横孔
７ｃ  狭小部
９  突軸
１０  仮止め機構
１１  ストッパ機構
【図１】
2004248988.tif 000003
【図２】
2004248988.tif 000004
【図３】
2004248988.tif 000005
【図４】
2004248988.tif 000006
【図５】
2004248988.tif 000007